(57)【要約】【課題】淡水魚を長期にわたって快適な状態で飼育できる淡水魚用飼育水を提供する。【解決手段】少なくとも塩化ナトリウム、塩化カリウム及び水を含有し、塩化カルシウムを含有しない淡水魚用飼育水であって、飼育水中における塩化ナトリウムのモル濃度が２５ｍＭ〜１００ｍＭであり、飼育水中における塩化カリウムのモル濃度が０．３ｍＭ〜４．５ｍＭである構成とする。【選択図】なし【特許請求の範囲】
【請求項１】
少なくとも塩化ナトリウム、塩化カリウム及び水を含有し、塩化カルシウムを含有しない淡水魚用飼育水であって、
前記飼育水中における塩化ナトリウムのモル濃度が２５ｍＭ〜１００ｍＭであり、
前記飼育水中における塩化カリウムのモル濃度が０．３ｍＭ〜４．５ｍＭであることを特徴とする淡水魚用飼育水。
【請求項２】
少なくとも塩化ナトリウム、塩化カリウム、塩化カルシウム及び水を含有する淡水魚用飼育水であって、
前記飼育水中における塩化ナトリウムのモル濃度が２５ｍＭ〜１００ｍＭであり、
前記飼育水中における塩化カリウムのモル濃度が０．３ｍＭ〜４．５ｍＭであり、
前記飼育水中における塩化カルシウムのモル濃度が０ｍＭを超えて５．０ｍＭ以下であることを特徴とする淡水魚用飼育水。
【請求項３】
少なくとも塩化ナトリウム及び塩化カリウムを含有し、塩化カルシウムを含有しない固形状組成物であって、
前記塩化ナトリウム１００モル部当たり、前記塩化カリウムを０．３モル部〜１８モル部含有することを特徴とする淡水魚飼育水用組成物。
【請求項４】
少なくとも塩化ナトリウム、塩化カリウム及び塩化カルシウムを含有してなる固形状組成物であって、
前記塩化ナトリウム１００モル部当たり、前記塩化カリウムを０．３モル部〜１８モル部含有すると共に、前記塩化カルシウムを０モル部を超えて２０モル部以下含有することを特徴とする淡水魚飼育水用組成物。
【請求項５】
所定量の水に溶解されて淡水魚飼育水として用いられるものである請求項３または４に記載の淡水魚飼育水用組成物。
【請求項６】
少なくとも塩化ナトリウム、塩化カリウム及び水を含有し、塩化カルシウムを含有しない水溶原液であって、
前記塩化ナトリウム１００モル部当たり、前記塩化カリウムを０．３モル部〜１８モル部含有することを特徴とする淡水魚飼育水用濃縮原液。
【請求項７】
少なくとも塩化ナトリウム、塩化カリウム、塩化カルシウム及び水を含有する水溶原液であって、
前記塩化ナトリウム１００モル部当たり、前記塩化カリウムを０．３モル部〜１８モル部含有すると共に、前記塩化カルシウムを０モル部を超えて２０モル部以下含有することを特徴とする淡水魚飼育水用濃縮原液。
【請求項８】
前記水溶原液は、水で３〜１５倍の希釈倍率で希釈されて希釈水溶液の状態で淡水魚用飼育水として使用されるものである請求項６または７に記載の淡水魚飼育水用濃縮原液。
【請求項９】
請求項１または２に記載の淡水魚用飼育水を濃縮したものと同じ組成、同じ濃度である淡水魚飼育水用濃縮原液。
【請求項１０】
前記濃縮の濃縮倍率が３〜１５倍である請求項９に記載の淡水魚飼育水用濃縮原液。
【発明の詳細な説明】
【技術分野】
【０００１】
本発明は、淡水魚を長期にわたって快適な状態で飼育できる淡水魚用飼育水、該飼育水の作製に用いられる淡水魚飼育水用濃縮原液と淡水魚飼育水用組成物に関する。
【０００２】
なお、本明細書及び特許請求の範囲において、「ｍＭ」の単位表記は、１０-3ｍｏｌ／Ｌ（１０-3ｍｏｌ／ｄｍ3）を意味するものである。
【背景技術】
【０００３】
観賞用淡水魚の飼育には、淡水（真水）が使用されている。近年、市場に流通している観賞用淡水魚は、度重なる交配や、養殖現場での出荷プロセスの短縮による調整不十分な生体が流通することにより、以前と比べ、病気やストレスに弱い生体が流通している。
【０００４】
病気やストレスに強い生体とするために、以前は、抗生物質を魚に給餌することが行われたりしていたが（特許文献１参照）、動物体内への残留、環境汚染、耐性菌の出現等の種々の問題があることから、現在では殆ど行われていない。
【先行技術文献】
【特許文献】
【０００５】
【特許文献１】国際公開ＷＯ２００４／０８４９２３号パンフレット（背景技術欄）
【発明の概要】
【発明が解決しようとする課題】
【０００６】
弱い生体（淡水魚）が多く流通すると、このような淡水魚を通常の一般の飼育者（ユーザー）が飼育したとき、魚が比較的短期で死んでしまう。そこで、淡水魚をもっと長期にわたって元気な状態で飼育できる淡水魚用飼育水を開発することが求められていた。
【０００７】
本発明は、かかる技術的背景に鑑みてなされたものであって、淡水魚を長期にわたって快適な状態で飼育できる淡水魚用飼育水、淡水魚飼育水用濃縮原液及び淡水魚飼育水用組成物を提供することを目的とする。
【課題を解決するための手段】
【０００８】
淡水中にはほとんどイオン成分が存在しない。淡水魚の体液浸透圧は、生活している淡水（真水）に比べて高い。このため、淡水魚は、あまり水を飲まず、薄い尿を出して、淡水中の僅かな塩類を鰓から効率よく取り込むという浸透圧調整を常に行いながら生きている。この浸透圧調整を行うにはエネルギーを要する。
【０００９】
このことから、淡水魚にとって、生活している淡水という環境は、浸透圧調整の観点からすると、必ずしも最適なものではなく、淡水魚は、浸透圧調整のための余分なエネルギーを常に使って、なかば無理をしながら淡水で生活している、と考えられる。
【００１０】
本発明者らは、浸透圧調整のために使われるエネルギー量を緩和（縮減）できる水環境を作ってやれば、病気に対する抵抗力、成長力、繁殖能力等をもっと高めることができて、淡水魚にとって快適な生活環境を作れるのではないかと着想した。
【００１１】
上記着想のもとに本発明者らは鋭意研究した結果、塩化ナトリウム濃度が特定範囲にあり、かつ塩化カリウム濃度が特定範囲にある飼育水を用いることにより、前記目的を達成できることを見出すに至り、本発明を完成したものである。即ち、前記目的を達成するために、本発明は以下の手段を提供する。
【００１２】
［１］少なくとも塩化ナトリウム、塩化カリウム及び水を含有し、塩化カルシウムを含有しない淡水魚用飼育水であって、
前記飼育水中における塩化ナトリウムのモル濃度が２５ｍＭ〜１００ｍＭであり、
前記飼育水中における塩化カリウムのモル濃度が０．３ｍＭ〜４．５ｍＭであることを特徴とする淡水魚用飼育水。
【００１３】
［２］少なくとも塩化ナトリウム、塩化カリウム、塩化カルシウム及び水を含有する淡水魚用飼育水であって、
前記飼育水中における塩化ナトリウムのモル濃度が２５ｍＭ〜１００ｍＭであり、
前記飼育水中における塩化カリウムのモル濃度が０．３ｍＭ〜４．５ｍＭであり、
前記飼育水中における塩化カルシウムのモル濃度が０ｍＭを超えて５．０ｍＭ以下であることを特徴とする淡水魚用飼育水。
【００１４】
［３］少なくとも塩化ナトリウム及び塩化カリウムを含有し、塩化カルシウムを含有しない固形状組成物であって、
前記塩化ナトリウム１００モル部当たり、前記塩化カリウムを０．３モル部〜１８モル部含有することを特徴とする淡水魚飼育水用組成物。
【００１５】
［４］少なくとも塩化ナトリウム、塩化カリウム及び塩化カルシウムを含有してなる固形状組成物であって、
前記塩化ナトリウム１００モル部当たり、前記塩化カリウムを０．３モル部〜１８モル部含有すると共に、前記塩化カルシウムを０モル部を超えて２０モル部以下含有することを特徴とする淡水魚飼育水用組成物。
【００１６】
［５］所定量の水に溶解されて淡水魚飼育水として用いられるものである前項３または４に記載の淡水魚飼育水用組成物。
【００１７】
［６］少なくとも塩化ナトリウム、塩化カリウム及び水を含有し、塩化カルシウムを含有しない水溶原液であって、
前記塩化ナトリウム１００モル部当たり、前記塩化カリウムを０．３モル部〜１８モル部含有することを特徴とする淡水魚飼育水用濃縮原液。
【００１８】
［７］少なくとも塩化ナトリウム、塩化カリウム、塩化カルシウム及び水を含有する水溶原液であって、
前記塩化ナトリウム１００モル部当たり、前記塩化カリウムを０．３モル部〜１８モル部含有すると共に、前記塩化カルシウムを０モル部を超えて２０モル部以下含有することを特徴とする淡水魚飼育水用濃縮原液。
【００１９】
［８］前記水溶原液は、水で３〜１５倍の希釈倍率で希釈されて希釈水溶液の状態で淡水魚用飼育水として使用されるものである前項６または７に記載の淡水魚飼育水用濃縮原液。
【００２０】
［９］前項１または２に記載の淡水魚用飼育水を濃縮したものと同じ組成、同じ濃度である淡水魚飼育水用濃縮原液。
【００２１】
［１０］前記濃縮の濃縮倍率が３〜１５倍である前項９に記載の淡水魚飼育水用濃縮原液。
【発明の効果】
【００２２】
［１］の発明では、飼育水中における塩化ナトリウムのモル濃度が２５ｍＭ〜１００ｍＭであり、且つ塩化カリウムのモル濃度が０．３ｍＭ〜４．５ｍＭであり、塩化カルシウムを含有しないから、淡水魚において浸透圧調整のために要するエネルギー量を低減できる約２５５ミリオスモル（ｍＯｓｍ）〜約３００ミリオスモル（ｍＯｓｍ）の血液浸透圧になるように維持させていくことが可能となり、これにより淡水魚にとって快適な水環境を提供することができ、淡水魚を長期にわたって快適な状態で飼育できる。
【００２３】
［２］の発明では、飼育水中における塩化ナトリウムのモル濃度が２５ｍＭ〜１００ｍＭであり、塩化カリウムのモル濃度が０．３ｍＭ〜４．５ｍＭであり、塩化カルシウムのモル濃度が０ｍＭを超えて５．０ｍＭ以下であるから、淡水魚において浸透圧調整のために要するエネルギー量を低減できる約２５５ｍＯｓｍ〜約３００ｍＯｓｍの血液浸透圧になるように維持させていくことが可能となり、これにより淡水魚にとって快適な水環境を提供することができ、淡水魚を長期にわたって快適な状態で飼育できる。この［２］の発明では、［１］の発明と比べて、塩化カルシウムのモル濃度が０ｍＭを超えて５．０ｍＭ以下に設定されていることで、淡水魚にとってより快適な水環境を提供できる。
【００２４】
［３］と［５］の発明（固形状組成物）では、塩化ナトリウム１００モル部当たり、塩化カリウムを０．３モル部〜１８モル部含有し、塩化カルシウムを含有しない組成であるから、この固形状組成物に水を加えることにより、［１］の発明に係る淡水魚用飼育水を提供できる。即ち、淡水魚を長期にわたって快適な状態で飼育できる淡水魚用飼育水を作製できる。
【００２５】
［４］と［５］の発明（固形状組成物）では、塩化ナトリウム１００モル部当たり、塩化カリウムを０．３モル部〜１８モル部含有すると共に、塩化カルシウムを０モル部を超えて２０モル部以下含有する組成であるから、この固形状組成物に水を加えることにより、［２］の発明に係る淡水魚用飼育水を提供できる。即ち、淡水魚を長期にわたってより快適な状態で飼育できる淡水魚用飼育水を作製できる。
【００２６】
［６］と［８］の発明（濃縮原液）では、少なくとも塩化ナトリウム、塩化カリウム及び水を含有し、塩化カルシウムを含有しない水溶原液であって、塩化ナトリウム１００モル部当たり、塩化カリウムを０．３モル部〜１８モル部含有する構成であるので、所定の希釈倍率に希釈することにより、［１］の発明に係る淡水魚用飼育水を提供できる。即ち、淡水魚を長期にわたって快適な状態で飼育できる淡水魚用飼育水を作製できる。
【００２７】
［７］と［８］の発明（濃縮原液）では、少なくとも塩化ナトリウム、塩化カリウム、塩化カルシウム及び水を含有する水溶原液であって、塩化ナトリウム１００モル部当たり、塩化カリウムを０．３モル部〜１８モル部含有すると共に、塩化カルシウムを０モル部を超えて２０モル部以下含有する構成であるので、所定の希釈倍率に希釈することにより、［２］の発明に係る淡水魚用飼育水を提供できる。即ち、淡水魚を長期にわたってより快適な状態で飼育できる淡水魚用飼育水を作製できる。
【００２８】
［９］と［１０］の発明（濃縮原液）は、前項［１］または［２］に記載の淡水魚用飼育水を濃縮したものと同じ組成、同じ濃度である淡水魚飼育水用濃縮原液であるから、この原液を水で所定の希釈倍率に希釈することにより、［１］又は［２］の発明に係る淡水魚用飼育水を提供できる。即ち、淡水魚を長期にわたって快適な状態で飼育できる淡水魚用飼育水を作製できる。
【発明を実施するための形態】
【００２９】
第１発明に係る淡水魚用飼育水は、少なくとも塩化ナトリウム、塩化カリウム及び水を含有し、塩化カルシウムを含有しない淡水魚用飼育水であって、前記飼育水中における塩化ナトリウムのモル濃度が２５ｍＭ〜１００ｍＭであり、前記飼育水中における塩化カリウムのモル濃度が０．３ｍＭ〜４．５ｍＭであることを特徴とする。
【００３０】
また、第２発明に係る淡水魚用飼育水は、少なくとも塩化ナトリウム、塩化カリウム、塩化カルシウム及び水を含有する淡水魚用飼育水であって、前記飼育水中における塩化ナトリウムのモル濃度が２５ｍＭ〜１００ｍＭであり、前記飼育水中における塩化カリウムのモル濃度が０．３ｍＭ〜４．５ｍＭであり、前記飼育水中における塩化カルシウムのモル濃度が０ｍＭを超えて５．０ｍＭ以下であることを特徴とする。
【００３１】
前記第１及び第２発明において、前記飼育水中における塩化ナトリウムの濃度は２５ｍＭ〜１００ｍＭに設定される。２５ｍＭ未満では、ストレス等を受けた後の血液浸透圧の回復効果が不十分になり、淡水魚を長期にわたって飼育することが難しくなる。また、１００ｍＭを超えると、淡水魚の血液浸透圧が約３１０ｍＯｓｍを超えてしまうので、淡水魚を長期にわたって飼育することが困難になる。中でも、前記飼育水中における塩化ナトリウムの濃度は３０ｍＭ〜８０ｍＭに設定されるのが好ましい。
【００３２】
前記第１及び第２発明において、前記飼育水中における塩化カリウムの濃度は０．３ｍＭ〜４．５ｍＭに設定される。０．３ｍＭ未満では、飼育されている淡水魚が比較的早期に死ぬ可能性がある。また、４．５ｍＭを超えると、淡水魚の血中のカリウム濃度が上昇するので、淡水魚が比較的早期に死ぬ可能性がある。前記飼育水中における塩化カリウムの濃度は１．３ｍＭ〜４．５ｍＭに設定されるのが好ましく、さらに１．５ｍＭ〜４．５ｍＭに設定されるのが特に好ましい。
【００３３】
前記第２発明において、前記飼育水中における塩化カルシウムの濃度は０ｍＭを超えて５．０ｍＭ以下に設定される。５．０ｍＭを超えると、淡水魚の血中のカルシウム濃度が上昇するので、淡水魚が比較的早期に死ぬ可能性がある。中でも、前記飼育水中における塩化カルシウムの濃度は０ｍＭを超えて４．５ｍＭ以下に設定されるのが好ましい。
【００３４】
前記第１発明では、該発明の効果を阻害しない範囲であれば、必須２成分（塩化ナトリウム及び塩化カリウム）以外に、他の成分（例えば塩化マグネシウム等）を含んでもよい。前記第１発明において、水以外の含有成分全体における前記必須２成分（塩化ナトリウム及び塩化カリウム）の含有割合は９０質量％以上に設定されるのが好ましく、９５質量％以上に設定されるのがより好ましく、９８質量％以上に設定されるのが特に好ましい。
【００３５】
前記第２発明では、該発明の効果を阻害しない範囲であれば、必須３成分（塩化ナトリウム、塩化カリウム及び塩化カルシウム）以外に、他の成分（例えば塩化マグネシウム等）を含んでもよい。前記第２発明において、水以外の含有成分全体における前記必須３成分（塩化ナトリウム、塩化カリウム及び塩化カルシウム）の含有割合は９０質量％以上に設定されるのが好ましく、９５質量％以上に設定されるのがより好ましく、９８質量％以上に設定されるのが特に好ましい。
【００３６】
次に、本発明に係る淡水魚飼育水用組成物について説明する。
【００３７】
第１の淡水魚飼育水用組成物（以下、「第３発明」という場合がある）は、少なくとも塩化ナトリウム及び塩化カリウムを含有し、塩化カルシウムを含有しない固形状組成物であって、前記塩化ナトリウム１００モル部当たり、前記塩化カリウムを０．３モル部〜１８モル部含有することを特徴とする。前記固形状組成物に水を加えることにより、前記第１発明に係る淡水魚用飼育水を作製できる。
【００３８】
前記第３発明の一実施形態として、塩化ナトリウム５０モル部（ｍｏｌ部）および塩化カリウム２．０モル部（ｍｏｌ部）からなる固形状組成物が挙げられるが、特にこの一例に限定されるものではない。
【００３９】
前記第３発明では、前記塩化ナトリウム１００モル部当たり、前記塩化カリウムを２．６モル部〜１８モル部含有するのが、浸透圧調整のために要するエネルギー量がより一層少なくて済み、淡水魚にとってより一層快適な状態で飼育できる点で、好ましい。中でも、前記塩化ナトリウム１００モル部当たり、前記塩化カリウムを３．０モル部〜１８モル部含有するのが、特に好ましい。
【００４０】
前記第３発明では、該発明の効果を阻害しない範囲であれば、必須２成分（塩化ナトリウム及び塩化カリウム）以外に、他の成分（例えば塩化マグネシウム等）を含んでもよい。前記第３発明において、含有成分全体における前記必須２成分（塩化ナトリウム及び塩化カリウム）の含有割合は９０質量％以上に設定されるのが好ましく、９５質量％以上に設定されるのがより好ましく、９８質量％以上に設定されるのが特に好ましい。
【００４１】
第２の淡水魚飼育水用組成物（以下、「第４発明」という場合がある）は、少なくとも塩化ナトリウム、塩化カリウム及び塩化カルシウムを含有してなる固形状組成物であって、前記塩化ナトリウム１００モル部当たり、前記塩化カリウムを０．３モル部〜１８モル部含有すると共に、前記塩化カルシウムを０モル部を超えて２０モル部以下含有することを特徴とする。前記固形状組成物に水を加えることにより、前記第２発明に係る淡水魚用飼育水を作製できる。
【００４２】
前記第４発明の一実施形態として、塩化ナトリウム５０モル部（ｍｏｌ部）、塩化カリウム２．０モル部（ｍｏｌ部）および塩化カルシウム０．５モル部（ｍｏｌ部）からなる固形状組成物が挙げられるが、特にこの一例に限定されるものではない。
【００４３】
前記第４発明では、前記塩化ナトリウム１００モル部当たり、前記塩化カリウムを２．６モル部〜１８モル部含有すると共に、前記塩化カルシウムを０モル部を超えて２０モル部以下含有するのが好ましい。この場合には、浸透圧調整のために要するエネルギー量がより一層少なくて済み、淡水魚にとってより一層快適な状態で飼育できる。中でも、前記塩化ナトリウム１００モル部当たり、前記塩化カリウムを３．０モル部〜１８モル部含有すると共に、前記塩化カルシウムを０モル部を超えて２０モル部以下含有するのが、特に好ましい。
【００４４】
前記第４発明では、該発明の効果を阻害しない範囲であれば、必須３成分（塩化ナトリウム、塩化カリウム及び塩化カルシウム）以外に、他の成分（例えば塩化マグネシウム等）を含んでもよい。前記第４発明において、含有成分全体における前記必須３成分（塩化ナトリウム、塩化カリウム及び塩化カルシウム）の含有割合は９０質量％以上に設定されるのが好ましく、９５質量％以上に設定されるのがより好ましく、９８質量％以上に設定されるのが特に好ましい。
【００４５】
前記第３及び第４発明に係る固形状組成物は、所定量の水に溶解されて淡水魚飼育水として用いられる。ここで、「所定量」とは、前記固形状組成物に水を加えて得る溶解液中の塩化ナトリウムの濃度が２５ｍＭ〜１００ｍＭの範囲になるときの前記加える水の量を意味するものである。
【００４６】
次に、本発明に係る淡水魚飼育水用濃縮原液について説明する。
【００４７】
第１の淡水魚飼育水用濃縮原液（以下、「第５発明」という場合がある）は、少なくとも塩化ナトリウム、塩化カリウム及び水を含有し、塩化カルシウムを含有しない水溶原液であって、前記塩化ナトリウム１００モル部当たり、前記塩化カリウムを０．３モル部〜１８モル部含有することを特徴とする。前記水溶原液は、水で所定の希釈倍率に希釈されて希釈水溶液の状態で淡水魚用飼育水として使用されるものであり、前記水溶原液を水で所定の希釈倍率に希釈した使用時の希釈水溶液は、該希釈水溶液中における塩化ナトリウムのモル濃度が２５ｍＭ〜１００ｍＭ、前記希釈水溶液中における塩化カリウムのモル濃度が０．３ｍＭ〜４．５ｍＭになるものである。この第５発明に係る原液を水で希釈するだけで、前記第１発明に係る淡水魚用飼育水を作製できる。即ち、第５発明は、前記第１発明に係る淡水魚用飼育水を濃縮したものと同じ組成、同じ濃度になっている液である。前記濃縮の濃縮倍率は、３〜１５倍に設定されるのが好ましく、５〜１２倍に設定されるのがより好ましい。
【００４８】
なお、本明細書において、「３倍濃縮」とは、元の液体の質量の３分の１になるまで濃縮することを意味し、「５倍濃縮」とは、元の液体の質量の５分の１になるまで濃縮することを意味する。
【００４９】
前記第５発明では、前記塩化ナトリウム１００モル部当たり、前記塩化カリウムを２．６モル部〜１８モル部含有するのが、浸透圧調整のために要するエネルギー量がより一層少なくて済み、淡水魚にとってより一層快適な状態で飼育できる点で、好ましい。中でも、前記塩化ナトリウム１００モル部当たり、前記塩化カリウムを３．０モル部〜１８モル部含有するのが、特に好ましい。
【００５０】
前記第５発明では、該発明の効果を阻害しない範囲であれば、必須２成分（塩化ナトリウム及び塩化カリウム）以外に、他の成分（例えば塩化マグネシウム等）を含んでもよい。前記第５発明において、水以外の含有成分全体における前記必須２成分（塩化ナトリウム及び塩化カリウム）の含有割合は９０質量％以上に設定されるのが好ましく、９５質量％以上に設定されるのがより好ましく、９８質量％以上に設定されるのが特に好ましい。
【００５１】
第２の淡水魚飼育水用濃縮原液（以下、「第６発明」という場合がある）は、少なくとも塩化ナトリウム、塩化カリウム、塩化カルシウムおよび水を含有する水溶原液であって、前記塩化ナトリウム１００モル部当たり、前記塩化カリウムを０．３モル部〜１８モル部含有すると共に、前記塩化カルシウムを０モル部を超えて２０モル部以下含有することを特徴とする。前記水溶原液は、水で所定の希釈倍率に希釈されて希釈水溶液の状態で淡水魚用飼育水として使用されるものであり、前記水溶原液を水で所定の希釈倍率に希釈した使用時の希釈水溶液は、該希釈水溶液中における塩化ナトリウムのモル濃度が２５ｍＭ〜１００ｍＭ、前記希釈水溶液中における塩化カリウムのモル濃度が０．３ｍＭ〜４．５ｍＭ、前記希釈水溶液中における塩化カルシウムのモル濃度が０ｍＭを超えて５．０ｍＭ以下になるものである。この第６発明に係る原液を水で希釈するだけで、前記第２発明に係る淡水魚用飼育水を作製できる。即ち、この第６発明は、前記第２発明に係る淡水魚用飼育水を濃縮したものと同じ組成、同じ濃度になっている液体である。前記濃縮の濃縮倍率は、３〜１５倍に設定されるのが好ましく、５〜１２倍に設定されるのがより好ましい。
【００５２】
前記第６発明では、前記塩化ナトリウム１００モル部当たり、前記塩化カリウムを２．６モル部〜１８モル部含有すると共に、前記塩化カルシウムを０モル部を超えて２０モル部以下含有するのが好ましい。この場合には、浸透圧調整のために要するエネルギー量がより一層少なくて済み、淡水魚にとってより一層快適な状態で飼育できる。中でも、前記塩化ナトリウム１００モル部当たり、前記塩化カリウムを３．０モル部〜１８モル部含有すると共に、前記塩化カルシウムを０モル部を超えて２０モル部以下含有するのが、特に好ましい。
【００５３】
前記第６発明では、該発明の効果を阻害しない範囲であれば、必須３成分（塩化ナトリウム、塩化カリウム及び塩化カルシウム）以外に、他の成分（例えば塩化マグネシウム等）を含んでもよい。前記第６発明において、水以外の含有成分全体における前記必須３成分（塩化ナトリウム、塩化カリウム及び塩化カルシウム）の含有割合は９０質量％以上に設定されるのが好ましく、９５質量％以上に設定されるのがより好ましく、９８質量％以上に設定されるのが特に好ましい。
【００５４】
前記第５及び第６発明に係る濃縮原液において、水で所定の希釈倍率に希釈する際の希釈倍率は、３〜１５倍に設定されるのが好ましく、５〜１２倍に設定されるのがより好ましい。１５倍を超えた希釈倍率に設定されている場合には、濃縮原液は相当に濃縮された設計になっているので、保管中等に濃縮原液中の含有成分が析出することが懸念されることから、１５倍以下の設計であるのが好ましい。なお、濃縮原液の「３倍希釈」とは、濃縮原液の質量の２倍の質量の水を加えて希釈することを意味し、濃縮原液の「５倍希釈」とは、濃縮原液の質量の４倍の質量の水を加えて希釈することを意味し、濃縮原液の「１０倍希釈」とは、濃縮原液の質量の９倍の質量の水を加えて希釈することを意味する。
【実施例】
【００５５】
次に、本発明の具体的実施例について説明するが、本発明はこれら実施例のものに特に限定されるものではない。
【００５６】
＜実施例１＞
純水に、塩化ナトリウム（ＮａＣｌ）、塩化カリウム（ＫＣｌ）、塩化カルシウム（ＣａＣｌ2）を混合して溶解せしめることによって、塩化ナトリウムの濃度が５０ｍＭ、塩化カリウムの濃度が０．５ｍＭ、塩化カルシウムの濃度が０．５ｍＭである淡水魚用飼育水を調製した。
【００５７】
＜実施例２〜６、比較例３＞
前記３種類の各成分のモル濃度を表１に示す濃度に設定した以外は、実施例１と同様にして、淡水魚用飼育水を調製した。
【００５８】
＜比較例１＞
淡水魚用飼育水として純水（真水）を用いた。
【００５９】
＜比較例２＞
純水に、塩化ナトリウム（ＮａＣｌ）、塩化カルシウム（ＣａＣｌ2）を混合して溶解せしめることによって、塩化ナトリウムの濃度が５０ｍＭ、塩化カルシウムの濃度が０．５ｍＭである淡水魚用飼育水（塩化カリウムを含有しない）を調製した。
【００６０】
＜実施例７＞
純水に、塩化ナトリウム（ＮａＣｌ）、塩化カリウム（ＫＣｌ）を混合して溶解せしめることによって、塩化ナトリウムの濃度が５０ｍＭ、塩化カリウムの濃度が２．０ｍＭである淡水魚用飼育水（塩化カルシウムを含有しない）を調製した。
【００６１】
＜実施例８〜１０、比較例４＞
前記３種類の各成分のモル濃度を表２に示す濃度に設定した以外は、実施例１と同様にして、淡水魚用飼育水を調製した。
【００６２】
＜実施例１１、１２、比較例５、６＞
前記３種類の各成分のモル濃度を表３に示す濃度に設定した以外は、実施例１と同様にして、淡水魚用飼育水を調製した。
【００６３】
【表１】
2014117216.tif 000002
【００６４】
【表２】
2014117216.tif 000003
【００６５】
【表３】
2014117216.tif 000004
【００６６】
上記のようにして得られた各淡水魚用飼育水について下記評価法に基づいて評価を行った。これらの結果を表１〜３に示す。
【００６７】
なお、実施例４の淡水魚用飼育水における３成分（塩化ナトリウム、塩化カリウム、塩化カルシウム）のそれぞれの濃度は、海水を１０倍に希釈した１０倍希釈海水（天然海水の濃度が１０質量％である希釈海水）とほぼ同等の濃度である。従って、実施例１〜３、５、６の各淡水魚用飼育水は、１０倍希釈海水と比較して塩化カリウムの濃度は、大きい側又は小さい側に明らかにずれたものとなっている。また、実施例７〜１０の各淡水魚用飼育水は、１０倍希釈海水と比較して塩化カルシウムの濃度は、大きい側又は小さい側に明らかにずれたものとなっている。
【００６８】
＜魚の血液浸透圧の測定法＞
コアカ（ワキン）と呼称される金魚（体重１〜２ｇ）を、淡水（体積１０Ｌ）に投入して３０分間自由に泳がせた。
【００６９】
しかる後、金魚を、アンモニア濃度が０．０２ｇ／Ｌであるアンモニア水１０Ｌ中に投入して３０分間自由に泳がせた（アンモニア水により金魚にストレスを与えた）。
【００７０】
次いで、取り出した金魚を、各淡水魚用飼育水（体積１０Ｌ）に１０匹ずつ投入して７日間飼育した。例えば、実施例１の淡水魚用飼育水１０Ｌが入った水槽に１０匹の金魚を投入し、他の実施例、比較例の淡水魚用飼育水についても同様にそれぞれ１０匹の金魚を投入した。
【００７１】
７日間経過後に金魚を取り出して、各金魚の血液浸透圧（体液浸透圧）を測定した。例えば、実施例１の淡水魚用飼育水で泳がせていた１０匹の金魚について各個体毎に血液浸透圧（ｍＯｓｍ／ｋｇ）を測定し、これら１０匹の金魚の血液浸透圧の平均値を算出した。他の実施例、比較例についても同様にして算出した。表１〜３に記載の血液浸透圧（ｍＯｓｍ／ｋｇ）は、いずれも１０匹の金魚の血液浸透圧の平均値である。
【００７２】
なお、金魚の血液浸透圧の測定は、次のようにして行った。まず、金魚の尾部をナイフで切断し、切断部より流出した血液をキャピラリーを用いて毛細管現象により採取した。このキャピラリーからピペットで血液を４μＬを吸出し、この吸出した血液を径６ｍｍの円形状の濾紙に染み込ませ、この血液含浸濾紙を浸透圧計（ワイエスアイジャパン株式会社製の「蒸気圧法オズモメーター５５２０型」）の所定位置にセットして、血液の浸透圧を測定した。
【００７３】
＜死亡数評価＞
上記７日間飼育している間において、２日経過時までの金魚の死亡総数、７日経過時までの金魚の死亡総数を調べた。
【００７４】
＜評価結果と考察＞
前記淡水に投入して３０分間自由に泳がせた後の金魚（ストレスを与える前の金魚）は、血液浸透圧が１０匹の平均値で２５８．４（ｍＯｓｍ／ｋｇ）であるのに対し、前記アンモニア水中に投入して３０分間自由に泳がせた（金魚にストレスを与えた）後の金魚は、血液浸透圧が１０匹の平均値で２４３．６（ｍＯｓｍ／ｋｇ）であり、このように血液浸透圧が低下していた。
【００７５】
そして、ストレスを与えた後の金魚を、実施例１〜１２の各淡水魚用飼育水にそれぞれ１０匹ずつ投入して７日間飼育した後は、表１〜３に示すように、血液浸透圧が、ストレスを与える前の数値（２５８．４）と同等程度又はそれ以上まで回復していた。また、実施例１〜１２の各淡水魚用飼育水で飼育した金魚は、７日間飼育した状態で１０匹中の死亡数が０匹であった。このように、本発明の実施例１〜１２の各淡水魚用飼育水で飼育すると、ストレスを与えた金魚の血液浸透圧が、適切なレベル（浸透圧調整のために要するエネルギー量が少なくて済む約２５５ミリオスモル〜約３００ミリオスモル）まで回復しており、本発明の淡水魚用飼育水では、淡水魚にとって快適な水環境が提供されていて、淡水魚を長期にわたって死亡させることなく快適な状態（元気な状態）で飼育できることがわかる。
【００７６】
中でも、塩化カリウムの濃度が１．３ｍＭ〜４．５ｍＭの範囲にある実施例３〜６の各淡水魚用飼育水で７日間飼育した後は、表１に示すように、金魚の血液浸透圧が、約２８０ミリオスモル〜約２９０ミリオスモル程度まで回復している。ここで、一般に、魚類の血液浸透圧は、淡水魚、海水魚に関係なく、約３００ミリオスモル程度がニュートラルな状態（浸透圧調整を殆ど要しない状態）であると言われている。従って、塩化カリウムの濃度が１．３ｍＭ〜４．５ｍＭの範囲にある実施例３〜６の各淡水魚用飼育水で飼育した場合には、浸透圧調整のために要するエネルギー量がより一層少なくて済み、淡水魚にとってより一層快適な状態で飼育できることがわかる。
【００７７】
これに対し、淡水魚用飼育水として淡水（真水）を用いた比較例１の淡水魚用飼育水では、７日間飼育後の血液浸透圧が平均で２４３．６（ｍＯｓｍ／ｋｇ）であり、回復できていなかったし、７日経過時までの死亡総数が３匹であった。
【００７８】
また、塩化ナトリウムおよび塩化カルシウムを含有するものの、塩化カリウムを含有しない比較例２の淡水魚用飼育水では、７日間飼育後の血液浸透圧が平均で２５０．９（ｍＯｓｍ／ｋｇ）であり、殆ど回復できていなかったし、２日経過時までに２匹死亡し、これ以降７日経過時までにもう１匹死亡しており、７日経過時までの死亡総数が３匹であった。
【００７９】
また、塩化カリウムの濃度が本発明の規定範囲の上限を超えている比較例３の淡水魚用飼育水では、７日経過時までに飼育魚１０匹のうち半分の５匹が死亡しており、長期飼育が困難であることがわかる。また、塩化カルシウムの濃度が本発明の規定範囲の上限を超えている比較例４の淡水魚用飼育水では、７日経過時までに飼育魚１０匹のうち３匹が死亡しており、これも長期飼育が困難であることがわかる。
【００８０】
また、塩化ナトリウムの濃度が本発明の規定範囲の下限より小さい比較例５の淡水魚用飼育水では、ストレスを受けた後の血液浸透圧の回復効果が不十分であり、７日経過時までに飼育魚１０匹のうち２匹が死亡した。塩化ナトリウムの濃度が本発明の規定範囲の上限を超えている比較例６の淡水魚用飼育水では、血液浸透圧が高くなり過ぎており、７日経過時までに飼育魚１０匹のうち２匹が死亡した。
【産業上の利用可能性】
【００８１】
本発明に係る淡水魚用飼育水は、例えば金魚、メダカ、鯉、タナゴ等の観賞用淡水魚の飼育に好適に用いられるが、特に観賞用淡水魚用に限定されるものではない。
【００８２】
本発明に係る淡水魚飼育水用濃縮原液は、所定の希釈倍率に希釈されて使用される。希釈された液は、観賞用淡水魚の飼育に好適に用いられるが、特に観賞用淡水魚用に限定されるものではない。
【００８３】
本発明に係る淡水魚飼育水用組成物は、水が加えられて使用され、この液は、観賞用淡水魚の飼育に好適に用いられるが、特に観賞用淡水魚用に限定されるものではない。